(57)【特許請求の範囲】
【請求項１】
ハウジングの端子収容室後方から挿入した接続端子の一部を構成する筐体の接触部を受容する端子収容室前方に、スライド部の嵌入によって前記接続端子の二重係止が行われるプラグ型コネクタにおいて、
前記接続端子が、前記筐体の一方の側面に前記ハウジングの内面に凹設した固定接触溝の段差端面から成る第１係合部に係止する第１係止片の一方端部を支持し、且つその他方の側面に前記スライド部の基板部の平面に凹設した曲折可動接触溝の曲折端面から成る第２係合部に係止する第２係止片の一方端部を支持し、
前記スライド部が、前記曲折可動接触溝の曲折端面よりも前記端子収容室後方寄りの該曲折可動接触溝に沿って前記基板部の平面に検知突起を突設し、
前記固定接触溝の段差端面と前記曲折可動接触溝の曲折端面が、前記端子収容室前方の横方向に同一レベルに設けられ、
前記スライド部が、前記ハウジング前方から前記端子収容室に沿って嵌入されて第１の位置にプリセットされ、前記ハウジング後方から前記接続端子が挿入され、前記第１係止片が前記第１係合部に係止された後、前記スライド部が前記端子収容室と交差する方向に滑動され、前記第２係止片が前記第２係合部に係止される第２の位置まで移動することで、前記検知突起が前記筐体の後端面に当接して前記接続端子を二重係止することを特徴とするプラグ型コネクタにおける接続端子の二重係止構造。
【請求項２】
前記スライド部が、前記基板部の両面に前記曲折可動接触溝及び前記検知突起を具備していることを特徴とする請求項１に記載のプラグ型コネクタにおける接続端子の二重係止構造。
【発明の詳細な説明】
【０００１】
【発明の属する技術分野】
本発明は、自動車等の車両の車内配線を接続するプラグ型コネクタに関し、詳しくはプラグ型コネクタのハウジングに対する接続端子の迅速且つ確実な挿入及び係止を保証するプラグ型コネクタにおける接続端子の二重係止構造に関するものである。
【０００２】
【従来の技術】
各種電子機器を搭載した自動車等の車両においては、該電子機器間に配線されるワイヤハーネスを接続するための従来のプラグ型コネクタは、例えば、米国特許第５６２４２８４号明細書に開示されている。
図１１及び図１２に示したように、従来のプラグ型コネクタの一部を構成するハウジング６１を長手方向に刻設された溝（何れも図示せず）に受容されるスライド部５１は、その両側面に可動接触室５２を凹設すると共に、接続端子５４の両側面にその一方端が支持された弾性舌片状の第１係止片５７ａ及び第２係止片５７ｂの幅に対応した隙間を以て互いに分離された複数個の台部５３を突設して成っていた。
【０００３】
前記台部５３の上端面は、自由端である第１係止片５７ａの他方端に係合する第１の係合部５５としての機能を有していた。一方、台部５４の側面下端は、スライド部５１の矢印ｂの移動に伴って、電線締着部５８を避けた接続端子５４の底面に当接し、該接続端子５４を上昇可能な突起５６が突設されていた。
また、図１２に示すように、前記スライド部５１の側面に対向するハウジングの側面に凹設した固定接触室６２の下端面は、自由端である第２係止片５７ｂの他方端に係合する第２の係合部６３としての機能を有していた。なお、第２の係合部６３は、上昇限に到達した第１の係合部５５よりも若干上方に位置決めされていた。
【０００４】
前記ハウジング６１に接続端子５４を見込む際、ハウジング６１を横切って刻設された溝（何れも図示せず）にスライド部５１を滑動させて所定の待機位置に予め組み込んだ後、スライド部５１における台部５８の隙間に第１係止片５７ａを、また第２の係合部６３の下方壁面に第２係止片５７ｂを夫々摺接させながら、矢印ａ方向に接続端子全体５４を圧入する。
前記台部５８の隙間を通過した第１係止片５７ａは、その他方端を含め全体が可動接触室５２に受容されるが、第２係止片５７ｂの他方端は、固定接触室６２が可動接触室５２よりも上方に位置するので固定接触室６２に受容されず、その弾性変形が略直線状に維持される。
【０００５】
この状態からスライド部５１を図１１の矢印ｂの方向に所定の位置まで直線的に滑動させて押し込み、第１の係合部５５を第１係止片５７ａの他方端に係合させる。その後、更にスライド部５１を矢印ｂの方向に所定の位置まで更に直線的に滑動させて押し込むと、台部５８の下端面に突設したウェッジ部５３ａがその隆起端面を該ウェッジ部５３ａに対設したハウジング底面の他のウェッジ部（図示せず）の隆起端面に摺接して直進する。
その結果、前記スライド部５１は上昇し、図１２に仮想線で示す位置まで上昇する過程で、突起５６が先ず接続端子５４の底面に当接し、やがて接続端子５４を上昇させた後、第２係止片５７ｂの他方端を含め全体を固定接触室６２に受容させる。
従って、第１係止片５７ａの他方端は第１の係合部５５に、また第２係止片５７ｂの他方端は第２の係合部６３によって夫々同一のレベルに位置決めされ、引張り力等の応力が均等に分散されると共に、突起５６によって接続端子５４の脱落が阻止された。
【０００６】
【発明が解決しようとする課題】
しかしながら、前述した従来のプラグ型コネクタは、接続端子５４における第１係止片５７ａの一部を台部５８の隙間内に残存した状態で初期の組み込み段階が終了すると、スライド部５１を矢印ｂの方向に直線的に滑動させる次の組み込み段階で、第１係止片５７ａの一部が台部５８によって横方向に押し込まれて著しく変形してしまう。
従って、第１係止片５７ａの他方端を第１の係合部５５に係止させることができず、接続端子５４の組み込みを完了させた従来のプラグ型コネクタは、第１係止片５７ａと第２係止片５７ｂを均等な係止力で固定することができなくなるという問題があった。
【０００７】
また、従来のプラグ型コネクタは、接続端子５４の初期の組み込み段階における異常挿入に対する有効な検出手段を具備していないので、前述したような不安定な状態で接続端子５４をハウジング内に組み込んでしまう。
従って、接続端子５４の先端部に配設された弾性接触片５９に相手側コネクタの雄型端子であるピンまたはブレードが差し込むまれると、接続端子全体５４が差し込み力に抗し切れずに異常に変形あるいは脱座してしまうという問題があった。
【０００８】
本発明は、前述した問題点を解消することにあり、ハウジングに対する接続端子の迅速且つ確実な挿入及び係止を保証するプラグ型コネクタにおける接続端子の二重係止構造を提供することを目的とするものである。
【０００９】
【課題を解決するための手段】
本発明のかかる目的は、ハウジングの端子収容室後方から挿入した接続端子の一部を構成する筐体の接触部を受容する端子収容室前方に、スライド部の嵌入によって接続端子の二重係止が行われるプラグ型コネクタにおいて、
前記接続端子が、前記筐体の一方の側面に前記ハウジングの内面に凹設した固定接触溝の段差端面から成る第１係合部に係止する第１係止片の一方端部を支持し、且つその他方の側面に前記スライド部の基板部の平面に凹設した曲折可動接触溝の曲折端面から成る第２係合部に係止する第２係止片の一方端部を支持し、前記スライド部が、前記曲折可動接触溝の曲折端面よりも前記端子収容室後方寄りの該曲折可動接触溝に沿って前記基板部の平面に検知突起を突設し、前記固定接触溝の段差端面と前記曲折可動接触溝の曲折端面が、前記端子収容室前方の横方向に同一レベルに設けられ、前記スライド部が、前記ハウジング前方から前記端子収容室に沿って嵌入されて第１の位置にプリセットされ、前記ハウジング後方から前記接続端子が挿入され、前記第１係止片が前記第１係合部に係止された後、前記スライド部が前記端子収容室と交差する方向に滑動され、前記第２係止片が前記第２係合部に係止される第２の位置まで移動することで、前記検知突起が前記筐体の後端面に当接して前記接続端子を二重係止することを特徴とするプラグ型コネクタにおける接続端子の二重係止構造によって達成される。
【００１０】
また、前記プラグ型コネクタにおける接続端子の二重係止構造においては、好ましくは前記スライド部が、前記基板部の両面に前記曲折可動接触溝及び前記検知突起を具備している。
【００１１】
本発明に係わる上記構成プラグ型コネクタにおける接続端子の二重係止構造は、前記接続端子が、接触部の一方の側面にハウジングの内面に凹設した固定接触溝の段差端面から成る第１係合部に係止する第１係止片の一方端部を支持し、且つその他方の側面にスライド部の基板部の平面に凹設した曲折可動接触溝の曲折端面から成る第２係合部に係止する第２係止片の一方端部を支持し、スライド部が、曲折可動接触溝の曲折端面よりも端子収容室後方寄りの該曲折可動接触溝に沿って基板部の平面に検知突起を突設し、固定接触溝の段差端面と曲折可動接触溝の曲折端面が、端子収容室前方の横方向に同一レベルに設けられているので、ハウジングに対する第１の位置にプリセットされたスライド部は、筐体の端子収容室前方に対する組み込み、第１係止片の他方端部の固定接触溝に対する摺接、及び第１係合部に対する係止を許容する。
【００１２】
次に、前記ハウジングに対する第２の位置に向けてスライド部を滑動させて押し込む過程で、検知突起の移動に伴い、筐体が端子収容室前方に適正に挿着されているか否かを検知する。
前記検知突起の移動が筐体との当接によって阻止されず、スライド部が第２の位置に到達すると、該スライド部は第２係止片の他方端部の曲折可動接触溝に対する摺接及び第２係合部に対する係止を許容する。
【００１３】
前記ハウジングに対してスライド部が第２の位置にセットされると、検知突起は筐体のストッパとして機能し、該筐体の脱座を阻止する。従って、接続端子は、筐体を介して第１及び第２係合部に、更に検知突起によって二重係止される。
【００１４】
【発明の実施の形態】
以下、本発明のプラグ型コネクタにおける接続端子の二重係止構造の一実施態様について、添付した図面に基づき以下に詳述する。図１は本発明のプラグ型コネクタの要部を一部破断して示した斜視図、図２は本発明のプラグ型コネクタのハウジングの要部を一部破断して示した斜視図、図３は本発明のプラグ型コネクタのスライド部の斜視図、図４はハウジングに対する第１の位置にあるスライド部を含む本発明のプラグ型コネクタの要部を一部破断して示した斜視図、図５はハウジングに対する第２の位置に向けて滑動するスライド部を含む本発明のプラグ型コネクタの要部を一部破断して示した斜視図、図６は図４におけるハウジングに対するスライド部の位置関係を示す平面図、図７はハウジングに対するスライド部の嵌入過程を示す正面図、図８はハウジングに対する第２の位置にセットされたスライド部を含む本発明のプラグ型コネクタの要部を一部破断して示した平面図、図９はハウジングに対するスライド部の嵌入完了時における正面図、更に図１０は図８のＡ−Ａ線に沿って切断して示した縦断面図である。
【００１５】
先ず、本発明のプラグ型コネクタ１に挿着される接続端子３は通常、一枚の金属板を折り曲げ加工して、図１、図４及び図５に示したように、電線の被覆材２１を締着する締着部２２、前記電線の芯線２１ａを圧接する圧接部２３、及び相手側コネクタの雄型端子（図示せず）の挿入によって電気的に接触する接触部２４が夫々形成される。
また、前記接触部２４は、その筐体２４ａが略長方体に成形され、且つ図１０から明らかなように、その両側面に弾性舌状の第１及び第２係止片２５ａ，２５ｂが切り起こされ、更に、前記筐体２４ａの両側面の前方端から前記端子挿入口７に向けて弾性舌状の一対の弾性接触片２４ｂ，２４ｃが延伸する。
本実施形態のプラグ型コネクタ１の一部を構成するハウジング２の先端面８に開口する端子挿入口７を貫通して一対の接触部２４ｂ，２４ｃの対向間隙に圧入された相手側コネクタの雄型端子（図示せず）は、一対の弾性接触片２４ｂ，２４ｃの弾性接触によって導通状態が維持される。
【００１６】
次に、図１及び図２に示したように、前記ハウジング２は、接続端子全体３を挿入する端子収容室後方６と前記接続端子３の一部を構成する接触部２４の筐体２４ａに係止する端子収容室前方１０を具備して成る。端子収容室前方１０は、その内面に長手方向に凹設した固定接触溝１０ａの最奥部の段差端面を筐体２４ａの第１係止片２５ａの自由端部に係止する第１係合部１０ｂとし、該第１係合部１０ｂから端子収容室後方６の内面に向けて厚さを漸減させた傾斜面１０ｃを具備する。
また、前記端子収容室前方１０の先端面８及び両側壁は、端子収容室前方１０を長手方向に区分するスライド部４が、図２、図３及び図５の矢印Ｘ及びＹの方向に嵌入可能な嵌入溝９を長手方向に切り込み、該嵌入溝９の最奥部にスライド部４の嵌入を案内する狭幅の案内溝９ａが設けられる。
【００１７】
一方、前記スライド部４は、図３から明らかなように、平板状の基板部１１、該基板部１１の前辺に設けた先端板１２、基板部１１の平面に凹設した曲折可動接触溝１４を具備して成る。また、該曲折可動接触溝１４の曲折端面から成り筐体２４ａの第２係止片２５ｂの自由端部に係合する第２係合部１４ａを具備して成る。また、曲折可動接触溝１４の曲折端面よりも端子収容室後方６寄りの該曲折可動接触溝１４に沿って基板部１１の平面に突設した検知突起１３と、基板部１１の後辺を全幅にわたり肉薄化した滑動規制段差１１ａを具備して成る。
【００１８】
更に、前記先端板１２は、ハウジング２の先端面８に開口する端子挿入口７の一部を画成する切欠１２ａを刻設し、該切欠１２ａは曲折可動接触溝１４に連通する。なお、前記スライド部４の実効長さＬ及び幅Ｗは、端子収容室前方１０に設けられた嵌入溝９の実効長さｌ及び幅ｗに一致するように設定されている。また、前記滑動規制段差１１ａは、嵌入溝９の案内溝９ａに嵌入することによって、スライド部４の矢印Ｘ及びＹの方向の滑動を適正に規制する。
【００１９】
前記検知突起１３は、前記スライド部４が図１、図２、図６及び図７に示したハウジング２に対する第１の位置から、図８〜図１０に示したハウジング２に対する第２の位置に滑動する過程で、筐体２４ａの存否を検知する一方、第２の位置において第２係合部１４ａに係止する筐体２４ａの第２係止片２５ｂの自由端部の脱座を阻止する。
【００２０】
前記固定接触溝１０ａの段差端面と曲折可動接触溝１４の曲折端面を端子収容室前方１０の横方向に同一レベルに設けることは、相手側コネクタの雄型端子の差し込み力により第１及び第２係止片２５ａ，２５ｂに生じる応力を均等に分散させるために好ましいが、段差端面と曲折端面のレベルに差を付けて配設するように変更することも可能である。
更に、前記ハウジング２内に多数の接続端子３を挿着する場合、スライド部４は、基板部１１の両面に曲折可動接触溝１４及び検知突起１３を設けて、ハウジング２内に２段階に受容することも可能である。
【００２１】
前記ハウジング２に対するスライド部４の組み込みについて以下に説明する。先ず、図２、図３、図６及び図７に示したように、スライド部４における先端板１２の切欠１２ａを先端面８の端子挿入口７に対して１／２ピッチ矢印Ｙの方向にずらして、スライド部全体４をハウジング２の先端面８から矢印Ｘの方向に押し込む。
更に、その押し込みを続けて、基板部１１を端子収容室前方１０に設けた嵌入溝９に、滑動規制段差１１ａを案内溝９ａに夫々嵌入させ、第１の位置にスライド部４をプリセットする。図６の実線あるいは図８の仮想線で示す第１の位置において、検知突起１３は端子収容室後方６から端子収容室前方１０までの接続端子３の挿入を干渉しない位置に待機する。
【００２２】
次に、前記端子収容室後方６から接続端子３を挿入する。この際、筐体２４ａの第１係止片２５ａの自由端部が、傾斜面１０ｃによって押し付けられながら該傾斜面１０ｃを乗り越える。すると、第１係止片２５ａは固定接触溝１０ａに沿って前進し、第１係止片２５ａの自由端部は、押し付け力が解放されて第１係合部１０ｂに係止する。
一方、前記第２係止片２５ｂは、滑動規制段差１１ａの平面によって若干押し付けられながら曲折可動接触溝１４の溝底面に向けて前進するが、第２係止片２５ｂの自由端部は、曲折可動接触溝１４の第２係合部１４ａに係止できない状態に置かれる。
【００２３】
前述したように接続端子３がハウジング２内に正常に挿入されると、図４に示したように、検知突起１３は筐体２４ａの後端に交差しない位置に待機するので、スライド部全体４の矢印Ｙの方向の滑動を干渉することがない。そこで、切欠１２ａを端子挿入口７に対して１／２ピッチ矢印Ｙの方向に移動するように、ハウジング２に対しスライド部全体４を第２の位置に滑動させる。
その結果、図９に示すように、完全な開口状態の端子挿入口７が画成されると共に、第２係止片２５ｂの自由端部は、曲折可動接触溝１４の矢印Ｙの方向に移動によって第２係合部１４ａに係止する。一方、検知突起１３は筐体２４ａの後端面に当接する位置に移動し、筐体２４ａの退路を遮断して、ハウジング２に対するスライド部４の組み込みが完了する。
【００２４】
前記接続端子３がハウジング２内に正常に挿入されないと、図５に示すように、第１係止片２５ａは傾斜面１０ｃによって押し付けられたままの状態になり、検知突起１３は筐体２４ａの側面に当接する位置に待機することになり、ハウジング２に対しスライド部全体４を第２の位置に滑動させることが不能になる。
従って、前記ハウジング２に対しスライド部全体４を第２の位置に滑動させることが可能か否かにより、接続端子３のハウジング２に対する挿着の可否が確実に検知される。
【００２５】
【発明の効果】
以上、説明したように本発明のプラグ型コネクタにおける接続端子の二重係止構造は、接続端子が接触部の一方の側面にハウジングの内面に凹設した固定接触溝の段差端面から成る第１係合部に係止する第１係止片の一方端部を支持し、且つその他方の側面にスライド部の基板部の平面に凹設した曲折可動接触溝の曲折端面から成る第２係合部に係止する第２係止片の一方端部を支持し、スライド部が、曲折可動接触溝の曲折端面よりも端子収容室後方寄りの該曲折可動接触溝に沿って基板部の平面に検知突起を突設し、固定接触溝の段差端面と曲折可動接触溝の曲折端面が、端子収容室前方の横方向に同一レベルに設けられている。そして、スライド部が、ハウジング前方から端子収容室に沿って嵌入されて第１の位置にプリセットされ、ハウジング後方から接続端子が挿入され、第１係止片が第１係合部に係止された後、スライド部が端子収容室と交差する方向に滑動され、第２係止片が第２係合部に係止される第２の位置まで移動することで、検知突起が筐体の後端面に当接して接続端子を二重係止する。
従って、ハウジングに対する第１の位置にプリセットされたスライド部は、筐体の端子収容室前方に対する組み込み、第１係止片の他方端部の固定接触溝に対する摺接、及び第１係合部に対する係止を許容することが可能になった。
【００２６】
また、前記ハウジングに対する第２の位置に向けてスライド部を滑動させて押し込む過程で、検知突起の移動に伴い、筐体が端子収容室前方に適正に挿着されているか否かを検知する。
従って、検知突起の移動が筐体との当接によって阻止されず、スライド部が第２の位置に到達すると、該スライド部は、第２係止片の他方端部の曲折可動接触溝に対する摺接及び第２係合部に対する係止を許容することが可能になった。
【００２７】
更に、前記ハウジングに対してスライド部が第２の位置にセットされると、検知突起は筐体のストッパとして機能し、該筐体の脱座を阻止するので、スライド部は接続端子を筐体を介して第１及び第２係合部に、検知突起によって二重に係止することが可能になった。
【図面の簡単な説明】
【図１】本発明のプラグ型コネクタの要部を一部破断して示した斜視図である。
【図２】図１におけるハウジングの要部を一部破断して示した斜視図である。
【図３】図１におけるスライド部の斜視図である。
【図４】図１におけるハウジングに対して第１の位置にあるスライド部を含むプラグ型コネクタの要部を一部破断して示した斜視図である。
【図５】図４におけるハウジングに対して第２の位置に向けて滑動するスライド部を含むプラグ型コネクタの要部を一部破断して示した斜視図である。
【図６】図４におけるハウジングに対するスライド部の位置関係を示す平面図である。
【図７】ハウジングに対するスライド部の嵌入過程を示す正面図である。
【図８】ハウジングに対する第２の位置にセットされたスライド部を含むプラグ型コネクタの要部を一部破断して示した平面図である。
【図９】ハウジングに対するスライド部の嵌入完了時における正面図である。
【図１０】図８のＡ−Ａ線に沿って切断した縦断面図である。
【図１１】従来のプラグ型コネクタのスライド部の斜視図である。
【図１２】従来のプラグ型コネクタの要部を一部破断して示した側面図である。
【符号の説明】
１        本発明のプラグ型コネクタ
２        ハウジング
３        接続端子
４        スライド部
６        端子収容室後方
７        端子挿入口
８        先端面
９        嵌入溝
９ａ      案内溝
１０      端子収容室前方
１０ａ    固定接触溝
１０ｂ    第１係合部
１０ｃ    傾斜面
１１      基板部
１１ａ    滑動規制段差
１２      先端板
１２ａ    切欠
１３      検知突起
１４      曲折可動接触溝
１４ａ    第２係合部
２１      被覆材
２１ａ    芯線
２２      締着部
２３      圧接部
２４      接触部
２４ａ    筐体
２４ｂ    弾性接触片
２４ｃ    弾性接触片
２５ａ    第１係止片
２５ｂ    第２係止片
【図１】
0003674830.tif 000002
【図２】
0003674830.tif 000003
【図３】
0003674830.tif 000004
【図４】
0003674830.tif 000005
【図５】
0003674830.tif 000006
【図６】
0003674830.tif 000007
【図７】
0003674830.tif 000008
【図８】
0003674830.tif 000009
【図９】
0003674830.tif 000010
【図１０】
0003674830.tif 000011
【図１１】
0003674830.tif 000012
【図１２】
0003674830.tif 000013